(57)【特許請求の範囲】
【請求項１】
メッセージを作成する作成手段と、この作成手段によって作成されたメッセージを当該メッセージが伝送される通信システムに対応したデータ形式に変換する変換手段と、この変換手段によって変換されたメッセージを送信する送信手段とを備えた通信装置において、
画像を記憶する第１の記憶手段と、
上記作成手段で作成されたメッセージに、上記記憶手段に記憶された画像を添付して送信するための指示を行なう指示手段と、
この指示手段により画像の添付が指示されると、添付すべき画像を上記変換手段によって変換されるデータ形式に沿って変換する画像変換手段と、
この画像変換手段により変換された画像を、前記変換手段によって変換されたメッセージに付加して送信する送信制御手段と
を具備したことを特徴とする通信装置。
【請求項２】
上記第１の記憶手段に記憶される画像に対応して、当該画像の複製を禁ずる情報を記憶する第２の記憶手段と、
上記指示手段により添付指示された画像が、上記第２の記憶手段に記憶される情報に基づく複製を禁ずる画像であるとき、この画像が送信できない旨を報知する第１の報知手段と
をさらに具備したことを特徴とする請求項１記載の通信装置。
【請求項３】
上記第１の記憶手段に記憶される画像に対応して、当該画像の複製を禁ずる情報を記憶する第２の記憶手段と、
上記指示手段により添付指示された画像が、上記第２の記憶手段に記憶される情報に基づく複製を禁ずる画像であるとき、この画像に複製されたものであることを示すシンボル画像を付加して上記変換手段に出力する出力手段と
をさらに具備したことを特徴とする請求項１記載の通信装置。
【請求項４】
メッセージの送信先情報と、そのメッセージの送信先が画像を表示可能か否かを示す情報とを対応付けて記憶する第３の記憶手段と、
メッセージ及び画像の送信先を指定する指定手段と、
この指定手段で指定された送信先情報に対応して、画像表示が不可能であることを上記第３の記憶手段を参照して判別すると、画像が送信できない旨を報知する第２の報知手段と
をさらに具備したことを特徴とする請求項１乃至３のいずれかに記載の通信装置。
【請求項５】
画像を受信する画像受信手段と、
この画像受信手段で受信した画像を、上記第１の記憶手段に記憶させる記憶制御手段と
をさらに具備したことを特徴とする請求項１乃至４のいずれかに記載の通信装置。
【請求項６】
メッセージを作成する作成ステップと、この作成ステップにて作成されたメッセージを当該メッセージが伝送される通信システムに対応したデータ形式に変換する変換ステップと、この変換ステップにて変換されたメッセージを送信する送信ステップとを有し、画像を記憶するメモリを備えた通信装置の画像送信方法であって、
上記作成ステップにて作成されたメッセージに、上記メモリに記憶された画像を添付して送信するための指示を行なう指示ステップと、
この指示ステップにより画像の添付が指示されると、添付すべき画像を上記変換ステップにて変換されるデータ形式に沿って変換する画像変換ステップと、
この画像変換ステップにて変換された画像を、前記変換ステップにて変換されたメッセージに付加して送信する送信制御ステップと
を有したことを特徴とする画像送信方法。
【発明の詳細な説明】
【０００１】
【発明の属する技術分野】
本発明は、画像を無線等で送信する通信装置及びこの通信装置の画像送信方法に関する。
【０００２】
【従来の技術】
従来より、無線により画像を伝送する装置は、例えばデータコネクタを有する携帯電話機に当該装置を接続することで送信先に伝送するのが一般的である。
【０００３】
しかしながら、上記携帯電話機を用いて画像と共にメッセージを伝送したい場合には、そのメッセージを音声として伝えるか、あるいは画像内にメモとして書込むことでメッセージを画像の一部として伝送するしか方法がなかった。
【０００４】
また、パーソナルコンピュータによるネットワークの電子メールでは、文字データに画像データを添付して送信することが可能であるが、受信した端末側のパーソナルコンピュータでその画像を展開するためのアプリケーションソフトウェアが別に必要となる。
【０００５】
【発明が解決しようとする課題】
以上の点から、なんらかの通信システムで画像の伝送を行なうことは、特に専用のアプリケーションソフトウェアを駆使するような複雑な操作が必要な情報通信機器ではなく、簡単な送信機能を備えている程度の携帯機器、例えば送信機能も有しているページング受信機などでは実現が困難となっており、手軽に利用できるものではなかった。
【０００６】
ところで、画像を伝送する場合、現在は送信を行なうものが意識しない限り、その画像の複製を無制限に配付できてしまうことから、著作権等の点で問題となることもある。
【０００７】
この問題を解決するための一手段として、配付すべき画像に送信元を示す情報等の印章を添付する方法も考えられるが、画像に添付された印章は、特に元の画像の画素構成が比較的小規模で精密度の低い画像中では、解像度も低いものとなり、閲覧対象としてはオリジナルの印章の画像に比して少々劣ったものとなってしまうのは否めない。
【０００８】
本発明は上記のような実情に鑑みてなされたもので、その目的とするところは、既存の広域無線通信ネットワークを利用し、メッセージ送信のフォーマットで画像をも伝送可能とする通信装置及び通信装置の画像送信方法を提供することにある。
【０００９】
【課題を解決するための手段】
請求項１記載の発明は、メッセージを作成する作成手段と、この作成手段によって作成されたメッセージを当該メッセージが伝送される通信システムに対応したデータ形式に変換する変換手段と、この変換手段によって変換されたメッセージを送信する送信手段とを備えた通信装置において、画像を記憶する第１の記憶手段と、上記作成手段で作成されたメッセージに、上記記憶手段に記憶された画像を添付して送信するための指示を行なう指示手段と、この指示手段により画像の添付が指示されると、添付すべき画像を上記変換手段によって変換されるデータ形式に沿って変換する画像変換手段と、この画像変換手段により変換された画像を、前記変換手段によって変換されたメッセージに付加して送信する送信制御手段とを具備したことを特徴とする。
【００１０】
このような構成とすれば、例えばページングシステムなどの既存の広域無線通信ネットワークを利用して、メッセージ送信のフォーマットで画像をも伝送することができる。
【００１１】
請求項２記載の発明は、上記請求項１記載の発明において、上記第１の記憶手段に記憶される画像に対応して、当該画像の複製を禁ずる情報を記憶する第２の記憶手段と、上記指示手段により添付指示された画像が、上記第２の記憶手段に記憶される情報に基づく複製を禁ずる画像であるとき、この画像が送信できない旨を報知する第１の報知手段とをさらに具備したことを特徴とする。
【００１２】
このような構成とすれば、上記請求項１記載の発明の作用に加えて、複製が禁じられた画像はメッセージ表示を行なった上でその送信を停止させることができる。
【００１３】
請求項３記載の発明は、上記請求項１記載の発明において、上記第１の記憶手段に記憶される画像に対応して、当該画像の複製を禁ずる情報を記憶する第２の記憶手段と、上記指示手段により添付指示された画像が、上記第２の記憶手段に記憶される情報に基づく複製を禁ずる画像であるとき、この画像に複製されたものであることを示すシンボル画像を付加して上記変換手段に出力する出力手段とをさらに具備したことを特徴とする。
【００１４】
このような構成とすれば、上記請求項１記載の発明の作用に加えて、複製が禁じられた画像はその旨を示すシンボル画像を付加した状態で送信するため、受信側でその画像が複製したものであることを確実に認識させることができる。
【００１５】
請求項４記載の発明は、上記請求項１乃至３のいずれかに記載の発明において、メッセージの送信先情報と、そのメッセージの送信先が画像を表示可能か否かを示す情報とを対応付けて記憶する第３の記憶手段と、メッセージ及び画像の送信先を指定する指定手段と、この指定手段で指定された送信先情報に対応して、画像表示が不可能であることを上記第３の記憶手段を参照して判別すると、画像が送信できない旨を報知する第２の報知手段とをさらに具備したことを特徴とする。
【００１６】
このような構成とすれば、上記請求項１乃至３のいずれかに記載の発明の作用に加えて、画像の送信が可能か否かを含んだメッセージの送信先の指定と画像の送信ができない場合の対処とを実現することができる。
【００１７】
請求項５記載の発明は、上記請求項１乃至４のいずれかに記載の発明において、画像を受信する画像受信手段と、この画像受信手段で受信した画像を、上記第１の記憶手段に記憶させる記憶制御手段とをさらに具備したことを特徴とする。
【００１８】
このような構成とすれば、上記請求項１乃至４のいずれかに記載の発明の作用に加えて、無線で受信した画像も他の画像と共に記憶させておくことができるため、選択できる画像のバリエーションを増やすことができ、より表現力の豊富なメッセージを作成して送信することができる。
請求項６記載の発明は、メッセージを作成する作成ステップと、この作成ステップにて作成されたメッセージを当該メッセージが伝送される通信システムに対応したデータ形式に変換する変換ステップと、この変換ステップにて変換されたメッセージを送信する送信ステップとを有し、画像を記憶するメモリを備えた通信装置の画像送信方法であって、上記作成ステップにて作成されたメッセージに、上記メモリに記憶された画像を添付して送信するための指示を行なう指示ステップと、この指示ステップにより画像の添付が指示されると、添付すべき画像を上記変換ステップにて変換されるデータ形式に沿って変換する画像変換ステップと、この画像変換ステップにて変換された画像を、前記変換ステップにて変換されたメッセージに付加して送信する送信制御ステップとを有したことを特徴とする。
このような方法とすれば、例えばページングシステムなどの既存の広域無線通信ネットワークを利用して、メッセージ送信のフォーマットで画像をも伝送させることができる。
【００１９】
【発明の実施の形態】
以下、本発明を高度無線呼出方式（ＲＣＲ  ＳＴＤ−４３標準規格）に則った無線ページングシステムに適用した場合の実施の一形態について図面を参照して説明する。
【００２０】
図１は携帯端末機としてのページング受信機の回路構成を示すものである。同図で、ページング受信機は、アンテナ１、受信部２、デコーダ３、ＣＰＵ４、受信データ処理回路５、表示ドライバ６、表示部７、キー入力部８、ＩＤ−ＲＯＭ９、ＲＡＭ１０、ＲＯＭ１１、送信データメモリ１２、報知ドライバ１３、ＬＥＤ１４、スピーカ１５、送信バッファ１６、Ｄ／Ａ変換部１７、アンプ（Ａｍｐ．）１８、スピーカ１９、コネクタ２０、赤外線（Ｉｒ）送受光部２１、及びバスＢ等により構成されている。
【００２１】
アンテナ１は、ここでは図示しないページングセンターの送信アンテナから送信されるデータを受信して受信部２に出力する。
【００２２】
受信部２は、デコーダ３に接続され、このデコーダ３からの制御信号に基づいて駆動し、受信データの復調及び検波を行なう。この受信部３は、受信した信号の同期部を取込むことによって２値あるいは４値の変調方式に従ってシリアルのビットデータをデコーダ３に選択出力する。
【００２３】
デコーダ３は、受信部２から入力される２値あるいは４値のシリアルのビットデータを８ビットのパラレルデータに並び換えてバスＢに出力する。また、デコーダ３は、ＣＰＵ４による受信された信号中のアドレスフィールドのアドレスデータと、ＩＤ−ＲＯＭ９に登録されたアドレスデータとの照合の後、一致の際に出力される検出信号を受け取ると、一致したアドレスデータが含まれる信号中のフレームのベクトルフィールド及びメッセージフィールドの全データの継続受信を受信部２に指示する機能を有している。
【００２４】
受信データ処理回路５は、デインターリーブ回路、バッファメモリ、ＢＣＨデコーダ等を含むもので、該バッファメモリは自己フレームにおける最大１フレーム分を着信処理終了までブロック単位で一時的に記憶する。デインターリーブ回路は、上記デコーダ３より出力され、バッファメモリに記憶される２値あるいは４値の８ビットの各パラレルビットデータについて、それぞれのフレームパターンに応じて、フェーズ毎に分離して復元処理（インタリーブ回復）し、ＢＣＨデコーダ１７はバッファメモリに保持されたデータのＢＣＨ符号を復号化して誤り訂正処理を行なう。
【００２５】
ＣＰＵ４は、ＲＯＭ１１に格納されている各種制御プログラムに基づいて着信したビットデータを解析すると共に、キー入力部８から入力される各種制御信号に応じてこのページング受信機内の各回路部を統括制御する。
【００２６】
表示ドライバ６は、ＣＰＵ４から入力される表示制御情報に基づいて表示部７を駆動させる。表示部７は、不図示の表示バッファ、及びＥＬバックライト等を備えた、例えば縦５６ドット×横９０ドットの表示領域を備えるドットマトリクス型の液晶パネル等で構成され、表示ドライバ６により駆動制御されて液晶表示パネル上にメッセージや画像等の情報を表示する。
【００２７】
キー入力部８は、例えば、電源のＯＮ／ＯＦＦ切換え、各モードにおける諸設定の決定を検出するメインスイッチ、着信待ちモード、報知形態設定モード等のモード切換操作あるいは画像の選択操作を検出するカーソルキー、格納されているメッセージデータに基づくメッセージの読出し操作を検出するメモリキー、着信報知のリセット、モード状態の解除を検出する解除キー、及び、数字、英字、ひらがな、カタカナ、漢字、記号等の文字入力用に備えられた例えばＱＷＥＲＴＹ配列のキーボードからなり、各キーの入力操作に応じた各種操作信号をＣＰＵ４に出力する。
【００２８】
ＩＤ−ＲＯＭ９は、図２に示すように、このページング受信機に設定されている受信すべきフレームのフレームナンバー、呼出検出のためのアドレスデータ（３２ｂｉｔ）、ベクトルフィールドに設定されるｖ２，ｖ１，ｖ０の３ビットのベクトルタイプ、そのアドレスデータの設定内容、ページングタイプ、対応する画像の有無を示すフラグＦ１、該フラグＦ１がセットされている場合にその画像ファイルのファイル名、及び該ファイルの画像管理アドレスを対応づけて記憶する。
【００２９】
ここで、受信すべきフレームナンバーデータが‘７’、個別呼出用アドレスデータ＃ＡについてはＮＰタイプのページングサービスが受けられ、設定内容としてはベクトルタイプに応じて基本呼出用の１ｓｔアドレスを記憶している。
【００３０】
また、受信すべきフレームナンバーデータが‘６３’、個別呼出用アドレスデータ＃ＢについてはＩＰタイプのページングサービスが受けられ、設定内容としてはベクトルタイプに応じて第１の情報サービス用の２ｎｄアドレスを記憶している。
【００３１】
さらに、受信すべきフレームナンバー‘８７’の個別呼出用アドレスデータ＃ＣについてはＩＰタイプのページングサービスが受けられ、設定内容としてはベクトルタイプに応じて画像による第２の情報サービス用の３ｒｄアドレスを記憶しており、対応画像フラグＦ１として“１”がセットされている。ここで対応するファイル名は‘チケット○×’、画像管理アドレスは‘００１’を記憶している。
【００３２】
同様に、受信すべきフレームナンバー‘１０３’の個別呼出用アドレスデータ＃ＤについてはＩＰタイプのページングサービスが受けられ、設定内容としてはベクトルタイプに応じて画像による第３の情報サービス用の４ｔｈアドレスを記憶しており、対応画像フラグＦ１として“１”がセットされている。ここで対応するファイル名は‘インフォ××’、画像管理アドレスは‘００２’を記憶している。
【００３３】
ＲＡＭ１０は、図３に示すようにユーザ情報メモリエリアＵＤ、電話帳データメモリエリアＴＤ、個別呼出用メッセージメモリエリアＰＭＤ、情報提供サービスデータメモリエリアＩＭＤ、画像データ管理メモリエリアＩＭＭ、及び画像データ記憶領域ＩＭＧＤを有している。
【００３４】
ユーザ情報メモリエリアＵＤは、例えば図４に示すようにこのページング受信機を所有しているユーザ氏名と呼出番号とを対応させて記憶する。
【００３５】
電話帳データメモリエリアＴＤは、図５に例示するように登録ナンバーと氏名、電話（呼出）番号、住所、及び画像でその可能なページングタイプであるか否かを示すページングタイプフラグＦ２を組として複数組を記憶する。
【００３６】
情報提供サービスデータメモリエリアＩＭＤは、図６に示すようにメッセージ番号と着信アドレス、見出しとなる表示される情報の内容、対応する画像管理アドレス、及び着信日時を組として順次着信のあったものを記憶する。
【００３７】
画像データ管理メモリエリアＩＭＭは、図７に示すように画像管理アドレスと画像の容量、その画像がコピーを禁止するものであるか否かを示すコピー禁止フラグＦ３、その画像がコピーしたものであるか否かを示すコピーフラグＦ４、その画像のファイル名、及び２値のモノクロ画像による当該画像データを簡略化したビットマップイメージを対応付けて着信のあった画像を記憶する。
【００３８】
画像データ記憶領域ＩＭＧＤは、上記画像のファイル名に対応付けて簡略化していない元の画像データを記憶する。
【００３９】
ＲＯＭ１１は、図８に示すようにプログラムＲＯＭメモリエリア１１１、キャラクタジェネレータ（ＣＧ）メモリエリア１１２、ＪＩＳ８コード変換テーブル１１３、８ビット／ドットパターン変換テーブル１１４、シフトＪＩＳ領域テーブル１１５、及びフリーワードテーブル１１６で構成されている。
【００４０】
プログラムＲＯＭメモリエリア１１１は、主としてＣＰＵ４の動作プログラムや表示制御プログラム、その他各種プログラム等を記憶する。
【００４１】
キャラクタジェネレータメモリエリア１１２は、横１２×縦１３ドットで表示される全角文字のドットパターンデータを記憶する。
【００４２】
ＪＩＳ８コード変換テーブル１１３は、図９に示すようにＩＰページングサービスで受信したビットデータ列より順次８ビット単位で読出されたビットデータを対応するキャラクタ（文字）に変換するためのテーブルであり、変換指定情報は上位４ビット（０〜Ｆ）と下位４ビット（０〜Ｆ）とでマトリクス状に記憶配置され、それぞれ上記キャラクタジェネレータ１１２により生成すべきキャラクタ（文字）の変換指定情報を格納する。ここで、例えばビットデータが「４１」ならばキャラクタ「Ａ」が、ビットデータが「Ｂ１」ならばキャラクタ「ア」が変換指定される。
【００４３】
このＪＩＳ８コード変換テーブル１１３は、本来１６（上位４ビット）×１６（下位４ビット）＝２５６通りのキャラクタの指定が可能であるが、ＩＰページングシステムでは、送信メッセージ作成時に「８０」〜「９Ｆ」、「Ｅ０」〜「ＦＦ」の６４個の変換指定領域については、ＪＩＳ  Ｘ  ０２０８（漢字符号表）の２バイトデータを指定するデータに置き換えられた所謂「シフトＪＩＳ」コードへの変換を指示するため実質的に不使用とされ、また「００」〜「２Ｆ」、「７Ｆ」、及び「Ａ０」の３４個の変換指定領域は未定義とされている。このため、ＩＰページングシステムではこれらの９８個の領域は使用しない。
【００４４】
したがって、上記ＩＰページングシステムでは、上記ＪＩＳ８コード変換テーブル１１３において、上記の領域を除いた「２０」〜「７Ｅ」、「Ａ１」〜「ＤＦ」の１５８個の変換指定領域のみが有効とされている。
【００４５】
しかして、このページング受信機においては、画像データとして上記１５８個の変換指定領域中の「２０」〜「６Ｅ」、「Ｂ１」〜「ＤＦ」の１２８個の変換指定領域を画像パターンに割当てて使用するものとする。
【００４６】
シフトＪＩＳ領域テーブル１１５は、上記図９で説明したテーブルにおける「８０」〜「９Ｆ」、「Ｅ０」〜「ＦＦ」の６４個の変換指定領域を有するテーブルでなるものとする。
【００４７】
８ビット／ドットパターン変換テーブル１１４は、図１０に示すように画像データとして８ビットデータを７ドットのドットパターンデータに変換するためのものであり、上述した「８０」〜「９Ｆ」、「Ｅ０」〜「ＦＦ」の６４個の変換指定領域ビットデータに対応して、各ドット“１”“０”の７ドットのドットパターンが生成される。
【００４８】
すなわち７ドットパターンとして示した白色ドット部分はビットデータでは“０”（オフ）であることを示し、黒色ドット部分はビットデータでは“１”（オン）であることを示している。
【００４９】
例えば、ＪＩＳ８コードで「２０」（００１０  ００００）を指定している場合は、７ドットのドットパターン７ビット（０００００００）に変換されて、表示ドライバ６で表示される画像データの一部として利用される。
【００５０】
フリーワードテーブル１１６は、図１１に示すように「１」〜「０」のダイヤルデータ２桁を組合わせてフリーワードメッセージを作成するための変換テーブルであり、例えばダイヤルデータ「２３」を伝送することでひらがな「く」を表示させることができるものとする。
【００５１】
送信データメモリ１２は、送信すべきデータを順次入力して記憶する。
【００５２】
報知ドライバ１３は、個別呼出しサービスでメッセージを着信した際に、予め設定した報知内容に従い、ＬＥＤ１４を点滅駆動すると共に、スピーカ１５により報音を行なう。
【００５３】
送信バッファ１６は、上記ＣＰＵ４が作成した送信データに基づいたＤＴＭＦ（Ｄｕａｌ  Ｔｏｎｅ  Ｍｕｌｔｉ  Ｆｒｅｑｕｅｎｃｙ：ダイヤルトーン）信号に変換可能なデータ（数値データ等）を順次バッファ記憶してＤ／Ａ変換部２７へ送出するもので、Ｄ／Ａ変換部１７がそのデータをアナログ化してトーン信号（ＤＴＭＦ信号）に変換し、アンプ１８にて増幅した後にスピーカ１９へ出力することにより、予め設定された２つの可聴周波数信号の組合わせでなるＤＴＭＦ信号が連続して放音出力される。
【００５４】
コネクタ２０は、上記メッセージ送信時に該メッセージに添付する画像データを取込むためのもので、例えばサービス事業者の用意するパーソナルコンピュータ等に接続することで、有償あるいは無償で画像データを取込み、上記画像データ記憶領域ＩＭＧＤに記憶設定させることができる。
【００５５】
また赤外線送受光部２１は、例えばＩｒＤＡ（Ｉｎｆｒａｒｅｄ  Ｄａｔａ  Ａｓｓｏｃｉａｔｉｏｎ）の規則に則って他の電子機器と赤外線通信し、上記コネクタ２０と同様に画像の取込み等を行なう。
【００５６】
次いで上記実施の形態の動作について説明する。
【００５７】
図１２乃至図１４はメッセージを作成して送信するメッセージ送信モードでの動作処理内容を示すもので、その当初にはメニュー画面を表示した状態で（ステップＳ０１）、そのメニュー内の一項目であるメッセージの新規作成が選択操作されるのを検出し（ステップＳ０２）、なければ既に作成してあるメッセージの読出しが選択操作されるのを検出する（ステップＳ５１）という処理を繰返し実行することで、これらの検出を待機する。
【００５８】
しかして、ステップＳ０２でメッセージを新規に作成するとの選択操作が検出されたと判断すると、実際にその新規のメッセージを入力していく処理を順次実行しながら（ステップＳ０３）、メッセージの入力を終了する操作が検出されるのを待機する（ステップＳ０４）。
【００５９】
また、上記ステップＳ５１で既に作成してあるメッセージの読出すための選択操作が検出されたと判断した場合には、送信メッセージをＲＡＭ１０の個別呼出用メッセージメモリエリアＰＭＤから選択して読出し、必要により編集を行なう処理を順次実行しながら（ステップＳ５２）、その処理を終了する操作が検出されるのを待機する（ステップＳ５３）。
【００６０】
しかして、上記ステップＳ０４でメッセージの入力を終了する操作が検出されたと判断するか、あるいは上記ステップＳ５３で読出したメッセージに対する処理を終了する操作が検出されたと判断すると、次いでそのメッセージの情報提供サービス用アドレスデータに対応して画像が添付されているか否か、すなわち上記図２のＩＤ−ＲＯＭ９の記憶内容においては、対応画像フラグＦ１に“１”がセットされているフレームナンバー‘８７’あるいはフレームナンバー‘１０３’に該当するアドレスデータに基づく送信であるか否かを判断する（ステップＳ０５）。
【００６１】
ここで、画像が添付されていると判断すると、次に上記作成したメッセージに画像データを添付するか否かの選択を促すガイドメッセージを表示部７に表示させた上で（ステップＳ０６）、画像を添付するとの指示入力がなされたか否かを判断する（ステップＳ０７）。
【００６２】
画像を添付するとの指示入力がなされたと判断すると、次に上記図７で示したＲＡＭ１０の画像データ管理メモリエリアＩＭＭを参照して、複数の画像データが記憶設定されているか否か、すなわち画像データを選択する必要があるか否かを判断する（ステップＳ０８）。
【００６３】
画像データ管理メモリエリアＩＭＭに複数の画像データが記憶されておらず、１つの画像データのみが記憶設定されている場合には、選択の余地がないのでその１つの画像データを用いるものとして以下の画像データの選択処理は省略するが、複数の画像データが記憶設定されていると判断した場合には、この画像データ管理メモリエリアＩＭＭに記憶設定されている画像データを簡略化したビットマップイメージをすべて読出して順次表示部７に表示させることでどの画像を添付するのかの選択を促すガイドメッセージを画像データと共に表示部７に表示させながら（ステップＳ０９）、画像を選択する指示入力が検出されるのを待機する（ステップＳ１０）という処理を繰返し実行し、検出がなされた時点で次に進む。
【００６４】
すなわち、画像データの選択を終えると、次いでその選択した画像データに対応する画像データ管理メモリエリアＩＭＭ上のコピー禁止フラグＦ３に“１”がセットされているか否かを判断する（ステップＳ１１）。
【００６５】
ここで、当該コピー禁止フラグＦ３に“１”がセットされている場合には、その画像データをコピーし、作成したメッセージに添付して送信することが禁止されているため、当該画像データをコピーできない旨のガイドメッセージを表示部７に表示させた上で（ステップＳ３４）、再び上記ステップＳ０５からの画像データの添付を行なうか否かの判断処理に戻る。
【００６６】
また、上記ステップＳ１１で当該コピー禁止フラグＦ３に“１”がセットされていないと判断した場合には、次いで同じく選択したその画像データに対応する画像データ管理メモリエリアＩＭＭ上のコピーフラグＦ４に“１”がセットされているか否かを判断する（ステップＳ１２）。
【００６７】
ここで、当該コピーフラグＦ４に“１”がセットされている場合には、その画像データをそのままの状態でコピーし、作成したメッセージに添付して送信することが禁止されているため、選択した画像データ中に上記図４で示したユーザ情報メモリエリアＵＤのユーザ氏名に基づいた文字パターンを付加した上で、その画像データを７ドット単位に分解してＪＩＳ８コードに変換し、上記作成したメッセージと共に送信データメモリ１２にセットする（ステップＳ３３）。
【００６８】
図１５は、上記画像データ管理メモリエリアＩＭＭの画像管理アドレス「００１」に対応付けて記憶されているビットマップイメージを添付する画像データとして選択した場合に、その画像ファイル名「ＨＹＡＫＫＡ．ＢＭＰ」により画像データ記憶領域ＩＭＧＤから読出される、縦５６×横９０ドット画像データそのものを例示するもので、ここでは画像全体を縦４×横９のブロックに分割し、図右側の矢印で示すテレビジョン画像におけるラスタスキャンのような順番で各ブロックの処理するものとする。
【００６９】
しかして、図１６は縦１４×横１０ドットに分割されたブロックのドットパターンを例示するもので、ここでは上記図１５で示すブロック「ＰＩＣＴ２」のドットパターンの内容を示している。
【００７０】
このようなドットパターンに対し、さらにテレビジョン画像におけるラスタスキャンのような順番で７ドット毎に分割することで図１７に示すように当該ブロック「ＰＩＣＴ２」は〈１〉〜〈２０〉のドット列に分割することができ、各ドット列のドットパターンを上記図１０で示したＲＯＭ１１の８ビット／ドットパターン変換テーブル１１４を参照することで図１８に示すようなＪＩＳ８コードの列に変換することができる。
【００７１】
したがって、このようなＪＩＳ８コードの列が、作成したメッセージと共に送信データメモリ１２にセットされることとなる。
【００７２】
また、上記ステップＳ１２で選択した画像データの当該コピーフラグＦ４に“１”がセットされていない場合には、その画像データをそのままの状態でコピーし、作成したメッセージに添付して送信することが許可されていることとなるため、選択した画像データを直接７ドット単位に分解してＪＩＳ８コードに変換し、上記作成したメッセージと共に送信データメモリ１２にセットする（ステップＳ１３）。
【００７３】
こうして、ステップＳ３３またはＳ１３での送信すべきデータに関する送信データメモリ１２へのセットが終了した時点で、そ次に表示部７で送信先を指定する指示入力を促すガイドメッセージを表示させた状態で（ステップＳ１４）、送信先を新規に入力するとの検出がなされるか、あるいはＲＡＭ１０の電話帳データメモリエリアＴＤにすでに記憶されている電話番号を送信先として選択するとの検出がなされるのを繰返し待機する（ステップＳ１５，Ｓ２８）。
【００７４】
ステップＳ１５で送信先を新規に入力するとの検出がなされたと判断すると、少なくとも個別呼出番号とページングタイプを含む電話帳データメモリエリアＴＤへのデータの入力指示を促すガイドメッセージを表示部７に表示させ（ステップＳ１６）、その後にキー入力部８からの入力操作を順次受付けながら（ステップＳ１７）、入力を終了するとの検出がなされるのを待機する（ステップＳ１８）、という処理を繰返す。
【００７５】
そして、ステップＳ１８で入力の終了を検出したと判断すると、次にそのページングタイプに対応して画像データの受信が可能か否かを示すフラグＦ２の内容を電話帳データメモリエリアＴＤの該当位置に設定入力する（ステップＳ１９）。
【００７６】
また、上記ステップＳ２８で電話帳データメモリエリアＴＤにすでに記憶されている電話番号を送信先として選択するとの検出がなされたと判断した場合には、電話帳データメモリエリアＴＤに登録されている氏名を表示部７で一覧表示させた状態で（ステップＳ２９）、それらの中からいずれか一名を送信先として選択するとの検出がなされるのを待機する（ステップＳ３０）。
【００７７】
そして、送信先の選択検出がなされたと判断した時点で、その選択した送信先の電話帳データメモリエリアＴＤの内容によりページングタイプフラグＦ２の欄を参照する（ステップＳ３１）。
【００７８】
しかして、上記ステップＳ１９で設定したページングタイプフラグＦ２の内容、あるいは上記ステップＳ３１で参照したページングタイプフラグＦ２の内容が“１”であるか“０”であるかを判断する（ステップＳ２０）。
【００７９】
ここで、ページングタイプフラグＦ２の内容が“０”であった場合は、その送信先に画像データを添付したメッセージを送信することができないため、画像を送信することができない旨を示すガイドメッセージを表示部７に表示させた上で（ステップＳ３２）、再び送信先の指定を行なうべく上記ステップＳ１４からの処理に戻る。
【００８０】
また、ステップＳ２０でページングタイプフラグＦ２の内容が“１”であると判断した場合は、その送信先へは画像データをメッセージに添付して送信することが可能であるので、先にセットしたメッセージ、画像データに加えて、送信先の個別呼出番号を送信データメモリ１２にセットする（ステップＳ２１）。
【００８１】
その後、スピーカ１９を最寄りの電話機の送話器に当接した状態で、実際に送信を実行する指示を待機しながら（ステップＳ２２）、その指示の検出があったか否かを判断する（ステップＳ２３）、という処理を繰返し行なう。
【００８２】
そして、検出されたと判断した時点で、まず送信データメモリ１２にセットされている送信先の個別呼出番号をデジタル値のＤＴＭＦ信号に変換して送信バッファ１６へ転送させて、Ｄ／Ａ変換部１７、アンプ１８を介してスピーカ１９よりＤＴＭＦ信号による送信先の個別呼出番号を送出させる（ステップＳ２４）。
【００８３】
続いて、再び送信を実行する指示を待機しながら（ステップＳ２５）、その指示の検出があったか否かを判断する（ステップＳ２６）、という処理を繰返し行なう。
【００８４】
そして、検出されたと判断した時点で、送信データメモリ１２にセットされているメッセージデータとこれに添付された画像データとをデジタル値のＤＴＭＦ信号に変換して送信バッファ１６へ転送させて、Ｄ／Ａ変換部１７、アンプ１８を介してスピーカ１９よりＤＴＭＦ信号によるメッセージデータと画像データとを送出させ（ステップＳ２７）、以上でこの図１２乃至図１４のメッセージ送信モードでの処理を終了する。
【００８５】
図１９はこのときスピーカ１９から出力されるメッセージフィールドにおけるメッセージ部分のデータ構成の一例を示すもので、ここでは添付される画像データの容量により２つのフレームに分けて送信するものとしている。
【００８６】
すなわち、図１９（１）に示す１回目のフレームのメッセージフィールドでは、メッセージデータに加えて画像データが添付されていることを示す画像識別コードとその画像プロパティデータを配し、その後に実際の画像データの一部と、続く他のフレームでも分割した画像データがあることを示す分割コード（１）を配する。
【００８７】
上記画像プロパティデータは、その画像ファイル名とコピーを禁止する情報等を有するもので、ここでは１回目のフレームに含まれるものとしているが、２回目のフレーム以降の他のフレームに含まれるものとしてもよい。
【００８８】
また、図１９（２）に示す２回目のフレームのメッセージフィールドでは、画像データが添付されていることを示す画像識別コードに続いて残る実際の画像データと、さらに続く他のフレームでも分割した画像データがある場合には分割コード（２）、あるいはこの２回目のメッセージフィールドで画像データの送信を終了する場合にはエンドコードを配する。
【００８９】
なお、このページング受信機でメッセージデータに添付して送信する画像データの大きさ及び容量は、上記図７の画像データ管理メモリエリアＩＭＭの構成でも例示した如く可変とするが、特定の情報提供サービスを除いて、その最も小さいものでも上記図１９に示すように２フレームのメッセージフィールドに分割して送信するものとし、大きいものでは必要なだけ上記分割コードの数値を順次増加して多くのフレームに分割して送信するものとする。
【００９０】
また、上記ステップＳ０５でそのメッセージの情報提供サービス用アドレスデータに対応して画像が添付されておらず、上記図２のＩＤ−ＲＯＭ９の記憶内容においては、対応画像フラグＦ１に“１”がセットされているフレームナンバー‘８７’あるいはフレームナンバー‘１０３’に該当するアドレスデータに基づく送信ではないと判断した場合、あるいは上記ステップＳ０７で画像を添付するとの指示入力がなされなかったと判断した場合には、メッセージに添付しての画像データの送信は行なわないものとし、新規入力あるいは選択したメッセージのみを送信データメモリ１２にセットした後（ステップＳ３５）、次に表示部７で送信先を指定する指示入力を促すガイドメッセージを表示させた状態で（ステップＳ３６）、送信先を新規に入力するとの検出がなされるか、あるいはＲＡＭ１０の電話帳データメモリエリアＴＤにすでに記憶されている電話番号を送信先として選択するとの検出がなされるのを繰返し待機する（ステップＳ３７，Ｓ４２）。
【００９１】
ステップＳ３７で送信先を新規に入力するとの検出がなされたと判断すると、少なくとも個別呼出番号とページングタイプを含む電話帳データメモリエリアＴＤへのデータの入力指示を促すガイドメッセージを表示部７に表示させ（ステップＳ３８）、その後にキー入力部８からの入力操作を順次受付けながら（ステップＳ３９）、入力を終了するとの検出がなされるのを待機する（ステップＳ４０）、という処理を繰返す。
【００９２】
そして、ステップＳ４０で入力の終了を検出したと判断すると、次にそのページングタイプに対応して画像データの受信が可能か否かを示すフラグＦ２の内容を電話帳データメモリエリアＴＤの該当位置に設定入力する（ステップＳ４１）。
【００９３】
また、上記ステップＳ４２で電話帳データメモリエリアＴＤにすでに記憶されている電話番号を送信先として選択するとの検出がなされたと判断した場合には、電話帳データメモリエリアＴＤに登録されている氏名を表示部７で一覧表示させた状態で（ステップＳ４３）、それらの中からいずれか一名を送信先として選択するとの検出がなされるのを待機する（ステップＳ４４）。
【００９４】
しかして、上記ステップＳ４１でページングタイプフラグＦ２を設定した後、あるいは上記ステップＳ４４送信先の選択検出がなされたとで判断した後に、先にセットしたメッセージに加えて、送信先の個別呼出番号を送信データメモリ１２にセットし、スピーカ１９を最寄りの電話機の送話器に当接した状態で、実際に送信を実行する指示を待機しながら（ステップＳ４５）、その指示の検出があったか否かを判断する（ステップＳ４６）、という処理を繰返し行なう。
【００９５】
そして、検出されたと判断した時点で、まず送信データメモリ１２にセットされている送信先の個別呼出番号をデジタル値のＤＴＭＦ信号に変換して送信バッファ１６へ転送させて、Ｄ／Ａ変換部１７、アンプ１８を介してスピーカ１９よりＤＴＭＦ信号による送信先の個別呼出番号を送出させる（ステップＳ４７）。
【００９６】
続いて、再び送信を実行する指示を待機しながら（ステップＳ４８）、その指示の検出があったか否かを判断する（ステップＳ４９）、という処理を繰返し行なう。
【００９７】
そして、検出されたと判断した時点で、送信データメモリ１２にセットされているメッセージデータをデジタル値のＤＴＭＦ信号に変換して送信バッファ１６へ転送させて、Ｄ／Ａ変換部１７、アンプ１８を介してスピーカ１９よりＤＴＭＦ信号によるメッセージデータを送出させ（ステップＳ５０）、以上でこの図１２乃至図１４のメッセージ送信モードでの処理を終了する。
【００９８】
次に、上記図１で回路構成を示したページング受信機と同様のページング受信機で着信を検出した場合の処理内容を図２０により説明する。
【００９９】
同図は自機のＩＤ−ＲＯＭ９に登録されているフレームとアドレスデータ及びベクトルデータに合致する着信を検出した場合に実行する処理内容を示すもので、その当初にはまずその１フレーム分を受信データ処理回路５に取込み（ステップＳ６０）、まずメッセージフィールド中に画像識別コードが設定されているか否かを判断する（ステップＳ６１）。
【０１００】
ここで、画像識別コードが設定されておらず、この着信検出したメッセージフィールドには画像データが添付されていないと判断すると、次いでメッセージデータがあるか否か判断する（ステップＳ６５）。
【０１０１】
ここでメッセージデータがあると判断すると、着信の検出に伴なう報知ドライバ１３による報知ドライバ１３及びスピーカ１５を用いての着信報知を実行すると同時に、着信したメッセージデータを表示部７にて表示出力し（ステップＳ６６）、以上で着信時の処理を終了する。
【０１０２】
また、上記ステップＳ６５でメッセージデータがないと判断した場合には、そのまま着信の検出に伴なう報知ドライバ１３による報知ドライバ１３及びスピーカ１５を用いての着信報知のみを実行し（ステップＳ７２）、以上で着信時の処理を終了する。
【０１０３】
また、上記ステップＳ６１で着信したフレームのメッセージフィールド中に画像識別コードが設定されていると判断した場合には、次いでそのメッセージフィールドの末尾に添付されている分割コードの内容が（１）であるか、（２）移行または分割コードに代るエンドコードであるか、あるいは分割コード及びエンドコードに類するコードは設定されていないかを判断する（ステップＳ６２）。
【０１０４】
このステップＳ６２でメッセージフィールドの末尾に添付されている分割コードが（１）であると判断すると、そのフレームが一連の画像データの先頭に位置するフレームであり、その画像識別コードに続いて始めの画像データの一部が配置されていて、画像プロパティデータが配置されている可能性があることとなるので、画像データ管理メモリエリアＩＭＭに新たに画像管理アドレスを設定して、画像プロパティデータが配置されていた場合にはそのプロパティデータに基づいてコピー禁止フラグＦ３、コピーフラグＦ４，及びファイル名等を格納させた後（ステップＳ６３）、画像データ記憶領域ＩＭＧＤにも対応するファイル名を設定してその画像データを格納させる（ステップＳ６４）。
【０１０５】
その後、上記ステップＳ６５に進んでそのメッセージフィールド内に画像データと共にメッセージデータがあるか否か判断し、メッセージデータがあると判断した場合には上記ステップＳ６６に進んで着信の検出に伴なう報知ドライバ１３による報知ドライバ１３及びスピーカ１５を用いての着信報知を実行すると同時に、着信したメッセージデータを表示部７にて表示出力する一方、メッセージデータがないと判断した場合にはそのまま上記ステップＳ７２に進んで着信の検出に伴なう報知ドライバ１３による報知ドライバ１３及びスピーカ１５を用いての着信報知のみを実行する。
【０１０６】
さらに、上記ステップＳ６２でメッセージデータがあるか否か判断する（ステップＳ６５）。
【０１０７】
ここでメッセージデータがあると判断すると、着信の検出に伴なう報知ドライバ１３による報知ドライバ１３及びスピーカ１５を用いての着信報知を実行すると同時に、着信したメッセージデータを表示部７にて表示出力し（ステップＳ６６）、以上で着信時の処理を終了する。
【０１０８】
また、上記ステップＳ６２でメッセージフィールドの末尾が（２）以降の分割コードあるいはエンドコードであると判断した場合には、そのフレームが一連の画像データの２番目以降に位置するフレームであり、画像識別コードに続いて画像データの一部が配置されていて、画像プロパティデータが配置されている可能性があることとなるので、画像データ管理メモリエリアＩＭＭに設定した画像管理アドレスに画像プロパティデータが配置されていた場合にはそのプロパティデータに基づいてコピー禁止フラグＦ３、コピーフラグＦ４，及びファイル名等を格納させた後（ステップＳ６７）、画像データ記憶領域ＩＭＧＤに設定した対応するファイル名の画像データを追加して格納させ（ステップＳ６８）、その後にメッセージフィールドの末尾に分割コードあるいはエンドコードが設定されているか否かを判断する（ステップＳ６９）。
【０１０９】
ここで、分割コードあるいはエンドコードが設定されていると判断した場合はそのままこの処理を終了して次の着信に移行するが、分割コードあるいはエンドコード以外のものが設定されていると判断した場合、あるいは上記ステップＳ６２でメッセージフィールドの末尾に分割コード（１）や分割コード（２）以降あるいはエンドコードのいずれも配置されていないと判断した場合には、その着信したフレーム中のメッセージフィールドが特定の情報提供サービスによるものものであるか否かを添付されている特定の識別コード等により判別し（ステップＳ７０）、特定の情報提供サービスであると判別した場合にのみ、ファイル名と共にＩＤ−ＲＯＭ９に新たな画像管理アドレスを追加設定すべく書込み（ステップＳ７１）、以上で着信時の処理を終了する。
【０１１０】
図２１及び図２２は上記のように画像データが添付されたメッセージデータの表示状態を例示するものである。図２１に示す如く、上記ステップＳ６６の処理で表示部７に着信したメッセージデータの内容「明日  バーゲンがあるって」を表示している状態で、表示部７の下部に、他にもデータがあることを例えば記号ａで表示する。
【０１１１】
この表示に対応してキー入力部８の例えば下方向へのカーソルキーを操作することで、図２２に示すように上記メッセージデータに添付されていた画像データを表示部７で表示出力させる。この場合、図中に「小川たけし」と示す送信者名ｂが、この画像データが該送信者によってコピーされたものであることを表わしている。
【０１１２】
なお、上記実施の形態では、画像データのコピーを完全に禁止してしまう場合と、送信者を表わす情報を画像中に挿入して送信自体は許可する場合の２段階で制限するようにしたため、その画像データ毎に必要に応じてコピーに関する制限の設定を実現させることができる。
【０１１３】
また、上記図１０を上記図３に示した構成に代えて図２３に示すような構成としてもよい。この場合、新たに添付情報データメモリエリアＡＤを設け、コピーは禁止されていないもののの、画像中にコピーされたものであることを示すなんらかの画像情報を添付する必要がある場合にその添付する画像情報を添付情報データメモリエリアＡＤに記憶させておくことができる。
【０１１４】
図２３はその添付情報データメモリエリアＡＤ内の記憶内容を例示するもので、上記図２２で示した画像中のコピーされたものであることを示す送信者の氏名の表記に代えて、そのユーザの印章を表わす画像や、電子メイルアドレスを表わす画像をシンボルとして複数用意し、適宜選択して添付するものとしてもよい。
【０１１５】
その他、本発明はその要旨を逸脱しない範囲内で種々変形して実施することが可能であるものとする。
【０１１６】
【発明の効果】
請求項１記載の発明によれば、例えばページングシステムなどの既存の広域無線通信ネットワークを利用して、メッセージ送信のフォーマットで画像をも伝送することができる。
【０１１７】
請求項２記載の発明によれば、上記請求項１記載の発明の効果に加えて、複製が禁じられた画像はメッセージ表示を行なった上でその送信を停止させることができる。
【０１１８】
請求項３記載の発明によれば、上記請求項１記載の発明の効果に加えて、複製が禁じられた画像はその旨を示すシンボル画像を付加した状態で送信するため、受信側でその画像が複製したものであることを確実に認識させることができる。
【０１１９】
請求項４記載の発明によれば、上記請求項１乃至３のいずれかに記載の発明の効果に加えて、画像の送信が可能か否かを含んだメッセージの送信先の指定と画像の送信ができない場合の対処とを実現することができる。
【０１２０】
請求項５記載の発明によれば、上記請求項１乃至４のいずれかに記載の発明の効果に加えて、受信した画像も他の画像と共に記憶させておくことができるため、選択できる画像のバリエーションを増やすことができ、より表現力の豊富なメッセージを作成して送信することができる。
請求項６記載の発明によれば、例えばページングシステムなどの既存の広域無線通信ネットワークを利用して、メッセージ送信のフォーマットで画像をも伝送させることができる。
【図面の簡単な説明】
【図１】本発明の実施の一形態に係る回路構成を示すブロック図。
【図２】図１のＩＤ−ＲＯＭの記憶内容を例示する図。
【図３】図１のＲＡＭのメモリエリア構成を示す図。
【図４】図３のユーザ情報メモリエリアの構成と記憶内容を例示する図。
【図５】図３の電話帳データメモリエリアの構成と記憶内容を例示する図。
【図６】図３の情報提供サービスデータメモリエリアの構成と記憶内容を例示する図。
【図７】図３の画像データ管理メモリエリアの構成と記憶内容を例示する図。
【図８】図１のＲＯＭの領域構成を示す図。
【図９】図８のＪＩＳ８コード変換テーブルとシフトＪＩＳ領域テーブルの記憶内容を示す図。
【図１０】図８の８ビット／ドットパターン変換テーブルの記憶内容を例示する図。
【図１１】図８のフリーワードテーブルの記憶内容を示す図。
【図１２】同実施の形態に係るメッセージ送信モードでの処理内容を示すフローチャート。
【図１３】同実施の形態に係るメッセージ送信モードでの処理内容を示すフローチャート。
【図１４】同実施の形態に係るメッセージ送信モードでの処理内容を示すフローチャート。
【図１５】同実施の形態に係る画像データの処理を例示する図。
【図１６】同実施の形態に係る画像データの処理を例示する図。
【図１７】同実施の形態に係る画像データの処理を例示する図。
【図１８】同実施の形態に係る画像データの処理を例示する図。
【図１９】同実施の形態に係る送信データ中のメッセージフィールド内でのデータ構成を示す図。
【図２０】同実施の形態に係る着信検出時の処理内容を示すフローチャート。
【図２１】同実施の形態に係る着信したメッセージデータの表示状態を例示する図。
【図２２】同実施の形態に係る着信した画像データの表示状態を例示する図。
【図２３】同実施の形態に係るＲＡＭの他のメモリエリア構成を示す図。
【図２４】図２３の添付情報データメモリエリアの構成と記憶内容を例示する図。
【符号の説明】
１…アンテナ
２…受信部
３…デコーダ部
４…ＣＰＵ
５…受信データ処理回路
６…表示ドライバ
７…表示部
８…キー入力部
９…ＩＤ−ＲＯＭ
１０…ＲＡＭ
１１…ＲＯＭ
１１１…プログラムＲＯＭメモリエリア
１１２…キャラクタジェネレータ（ＣＧ）メモリエリア
１１３…ＪＩＳ８コード変換テーブル
１１４…８ビット／ドットパターン変換テーブル
１１５…シフトＪＩＳ領域テーブル
１１６…フリーワードテーブル
１２…送信データメモリ
１３…報知ドライバ
１４…ＬＥＤ
１５…スピーカ
１６…送信バッファ
１７…Ｄ／Ａ変換部
１８…アンプ
１９…スピーカ
２０…コネクタ
２１…赤外線送受光部
Ｂ…バス
ＵＤ…ユーザ情報メモリエリア
ＴＤ…電話帳データメモリエリア
ＰＭＤ…個別呼出用メッセージメモリエリア
ＩＭＤ…情報提供サービスデータメモリエリア
ＩＭＭ…画像データ管理メモリエリア
ＩＭＧＤ…画像データ記憶領域
１６…ＲＯＭ
１７…ＣＰＵ
１７ａ…計時部
１７ｂ…カウンタ
１７ｃ…タイマ
１７ｄ…レジスタ
１８…表示ドライバ
１９…表示部
２０…報知ドライバ
２１…キー入力部
２２…スピーカ
２３…ＬＥＤ
２４…バイブレータ
Ｂ…バス
ＲＭ…着信メッセージメモリエリア
ＴＬ…電話帳メモリエリア
ＳＣ…スケジュールデータメモリエリア
ＭＭ…メモデータメモリエリア
ＤＭ…データ管理メモリエリア
【図１】
0003764942.tif 000002
【図２】
0003764942.tif 000003
【図３】
0003764942.tif 000004
【図４】
0003764942.tif 000005
【図５】
0003764942.tif 000006
【図６】
0003764942.tif 000007
【図７】
0003764942.tif 000008
【図８】
0003764942.tif 000009
【図９】
0003764942.tif 000010
【図１０】
0003764942.tif 000011
【図１１】
0003764942.tif 000012
【図１２】
0003764942.tif 000013
【図１３】
0003764942.tif 000014
【図１４】
0003764942.tif 000015
【図１５】
0003764942.tif 000016
【図１６】
0003764942.tif 000017
【図１７】
0003764942.tif 000018
【図１８】
0003764942.tif 000019
【図１９】
0003764942.tif 000020
【図２０】
0003764942.tif 000021
【図２１】
0003764942.tif 000022
【図２２】
0003764942.tif 000023
【図２３】
0003764942.tif 000024
【図２４】
0003764942.tif 000025